(57)【要約】【課題】  アドレス帳が更新された際に、受信文書の転送先として指定されたアドレス帳のインデックス番号も更新する。【解決手段】  受信文書を転送させる転送先として複数の送信先が登録されたアドレス帳からユーザが所望の送信先を指定し、指定された送信先を識別する識別情報と該送信先へのアドレス帳におけるインデックス番号とを記憶する。そして、アドレス帳が更新された際に、記憶した識別情報に基づいてインデックス番号を更新する。【選択図】      図８
2005159740.tif 000002
【特許請求の範囲】
【請求項１】
受信文書を転送させる転送先を指定する指定情報を記憶し、前記指定情報に基づき前記受信文書を転送先へ転送させる文書転送方法であって、
受信文書を転送させる転送先として複数の送信先が登録されたアドレス帳からユーザが所望の送信先を指定する工程と、
前記指定する工程で指定された送信先を識別する識別情報と該送信先へのアドレス帳におけるインデックス番号とを記憶する工程と、
前記アドレス帳が更新された際に、前記記憶する工程で記憶された識別情報に基づいて前記インデックス番号を更新する工程とを有することを特徴とする文書転送方法。
【請求項２】
前記識別情報は、前記アドレス帳に登録されている送信先を一意に識別するための情報であり、少なくとも送信先の機器を識別するための番号を含むことを特徴とする請求項１記載の文書転送方法。
【請求項３】
前記更新する工程では、前記記憶する工程で記憶された識別情報と更新されたアドレス帳に登録されている複数の送信先を識別する各識別情報とを比較し、前記記憶する工程で記憶したインデックス番号を前記更新されたアドレス帳において一致した識別情報の送信先へのインデックス番号に更新することを特徴とする請求項１記載の文書転送方法。
【請求項４】
受信した文書を転送させる条件をユーザに設定させる工程と、
前記設定させる工程で設定された条件に合致する文書を受信した場合に、前記記憶する工程で記憶したインデックス番号に基づき、前記文書を転送先として指定された送信先へ転送させる工程とを更に有することを特徴とする請求項１記載の文書転送方法。
【請求項５】
受信文書を転送させる転送先を指定する指定情報を記憶し、前記指定情報に基づき前記受信文書を転送先へ転送させる文書転送装置であって、
受信文書を転送させる転送先として複数の送信先が登録されたアドレス帳からユーザが所望の送信先を指定する指定手段と、
前記指定手段により指定された送信先を識別する識別情報と該送信先へのアドレス帳におけるインデックス番号とを記憶する記憶手段と、
前記アドレス帳が更新された際に、前記記憶手段に記憶された識別情報に基づいて前記インデックス番号を更新する更新手段とを有することを特徴とする文書転送装置。
【請求項６】
コンピュータに請求項１記載の文書転送方法を実行させるためのプログラム。
【請求項７】
請求項６記載のプログラムが記録されたコンピュータ読み取り可能な記録媒体。
【発明の詳細な説明】
【技術分野】
【０００１】
本発明は、受信文書を転送先へ転送させる技術に関するものである。
【背景技術】
【０００２】
従来、ネットワークに接続されているファクシミリ装置において、受信した文書を他の装置へ転送させる場合、予め送信元アドレス（又はＦＡＸ番号）やパスワードなどの受信時の条件を設定し、転送先のアドレスをファクシミリ装置のアドレス帳に登録されているエントリーから指定し、そのエントリーに対して一意な識別番号（インデックス番号）を送信宛先として登録するように構成されている。
【０００３】
また、ある装置で使用していたアドレス帳を別の装置に転送して使用することも行われている（例えば、特許文献１参照。）。
【特許文献１】特開２００３−２１９１００号公報
【発明の開示】
【発明が解決しようとする課題】
【０００４】
しかしながら、上記従来例では、他の装置のアドレス帳をファクシミリ装置に読み込ませ、ファクシミリ装置のアドレス帳を更新すると、インデックス番号に対応した宛先が変更され、送信宛先に登録されている送信相手先が不定となり、どこに届くかわからなくなってしまう、という誤送信の問題があった。
【０００５】
また、誤送信を防止するために、他の装置のアドレス帳を読み込んでインデックス番号が更新された場合、送信宛先を無効にするという方法もあるが、ユーザが再度、送信相手先を確認し、送信宛先を有効にする必要があるため、時間を浪費し、作業効率が低下する、という問題もあった。
【０００６】
更に、他の装置のアドレス帳を読み込んだ際に、インデックス番号の更新を不要とするために、送信相手先として他の装置のアドレス帳の各エントリーを含めた一意な識別番号（ユニバーサルユニークＩＤ）を登録したとしても、そのユニバーサルユニークＩＤからアドレス帳に登録されている実際の送信相手先を検索するのに時間がかかる、という問題もあった。
【０００７】
本発明は、上記課題を解決するためになされたもので、アドレス帳が更新された際に、受信文書の転送先として指定されたアドレス帳のインデックス番号も更新することを目的とする。
【課題を解決するための手段】
【０００８】
本発明は、受信文書を転送させる転送先を指定する指定情報を記憶し、前記指定情報に基づき前記受信文書を転送先へ転送させる文書転送方法であって、受信文書を転送させる転送先として複数の送信先が登録されたアドレス帳からユーザが所望の送信先を指定する工程と、前記指定する工程で指定された送信先を識別する識別情報と該送信先へのアドレス帳におけるインデックス番号とを記憶する工程と、前記アドレス帳が更新された際に、前記記憶する工程で記憶された識別情報に基づいて前記インデックス番号を更新する工程とを有することを特徴とする。
【０００９】
また、本発明は、受信文書を転送させる転送先を指定する指定情報を記憶し、前記指定情報に基づき前記受信文書を転送先へ転送させる文書転送装置であって、受信文書を転送させる転送先として複数の送信先が登録されたアドレス帳からユーザが所望の送信先を指定する指定手段と、前記指定手段により指定された送信先を識別する識別情報と該送信先へのアドレス帳におけるインデックス番号とを記憶する記憶手段と、前記アドレス帳が更新された際に、前記記憶手段に記憶された識別情報に基づいて前記インデックス番号を更新する更新手段とを有することを特徴とする。
【発明の効果】
【００１０】
本発明によれば、アドレス帳が更新された際に、受信文書を転送する転送先として指定されたアドレス帳の送信先を識別する識別情報に基づいてアドレス帳における送信先へのインデックス番号も更新することにより、ユーザの利便性を向上させることができる。
【発明を実施するための最良の形態】
【００１１】
以下、図面を参照しながら発明を実施するための最良の形態について詳細に説明する。尚、本実施例では、本発明に係る文書転送方法が適用されるネットワーク上の通信機器としてファクシミリ機能を有する複写装置を例に説明する。
【実施例１】
【００１２】
図１は、実施例１におけるクライアント・サーバシステムの構成を示す図である。図１に示すように、複写装置１０１は公衆回線に接続され、外部のファクシミリ装置から公衆回線を介してファックス文書が送られてくると、その文書を受信する受信装置として機能し、更にその文書を複写装置１０１の印刷ユニットで印刷する印刷装置又はコンピュータネットワークを介してサーバ装置１０２に送信（転送）する転送装置としても機能する。また、コンピュータネットワークを介してクライアント装置１０３から又は自装置の操作部から文書の送信を指示されると、その文書を公衆回線を介して相手ファクシミリ装置へ送信する送信装置としても機能する。
【００１３】
また、複写装置１０１はファックスだけでなく、公衆回線やコンピュータネットワークを介してサービスプロバイダに接続し、電子メールを送受信する電子メール装置としても機能する。
【００１４】
サーバ装置１０２は、複写装置１０１からコンピュータネットワークを介して受信した文書或いはクライアント装置１０３からコンピュータネットワークを介して受信した文書や画像をデータベースに蓄積する機能を有する。尚、プリンタを接続し、プリントサーバとして機能させることも可能である。
【００１５】
尚、サーバ装置１０２やクライアント装置１０３は、パーソナルコンピュータやワークステーションなどの一般的なコンピュータで構成されており、その構成は公知であるため、ここでの説明は省略する。
【００１６】
ここで、複数の機能を有する実施例１の複写装置１０１におけるハードウェア構成及び動作について説明する。
【００１７】
図２は、実施例１における複写装置のハードウェア構成を示すブロック図である。図２に示すように、複写装置は中央処理装置（ＣＰＵ）２０１、主記憶装置（ＲＡＭ）２０２、表示ユニット２０３、入力ユニット２０４、外部記憶装置２０５、印刷ユニット２０６、画像読取ユニット２０７、ネットワークＩ／Ｆ２０８、電子メールユニット２０９及びファクスユニット２１０とからその主要部が構成されている。
【００１８】
中央処理装置（ＣＰＵ）２０１は、外部記憶装置２０５に格納されているプログラムを主記憶装置（ＲＡＭ）に読み込み、そのプログラムに従って主記憶装置（ＲＡＭ）２０２、表示ユニット２０３、入力ユニット２０４、外部記憶装置２０５、印刷ユニット２０６、画像読取ユニット２０７、ネットワークＩ／Ｆ２０８、電子メールユニット２０９及びファクスユニット２１０を制御し、また四則演算、論理演算を行う。
【００１９】
主記憶装置（ＲＡＭ）２０２は、ＣＰＵ２０１が処理を行う上で必要な情報を記憶し、必要に応じて取り出すことができる。表示ユニット２０３は図形や文字等の処理した結果を表示するもので、ＣＲＴや液晶、タッチパネル等で構成される。入力ユニット２０４はＣＰＵ２０１への種々の入力を行うもので、キーボードやマウス、カードリーダ、タッチパネル等で構成される。
【００２０】
外部記憶装置２０５は、各種情報を記憶するもので、磁気記憶装置（ハードディスク）、光磁気ディスク、光ディスク等で構成される。尚、実施例１では、転送設定を登録する転送条件データベースや送信宛先を登録するアドレス帳などが外部記憶装置２０５に格納される。
【００２１】
印刷ユニット２０６は、図形や文字等の処理した結果を印刷する電子写真方式やインクジェット方式のプリンタである。画像読取ユニット２０７は、光学的に原稿を読み取り、電子情報に変換して出力するスキャナである。
【００２２】
ネットワークＩ／Ｆ２０８は、コンピュータネットワークを介してサーバ装置１０２やクライアント装置１０３と接続するためのもので、所定の通信プロトコルに従ってデータ通信を制御する。また、公衆回線を介して外部のファクシミリ装置とファックスの送受信やインターネット上のメールサーバとの間で行われる電子メールの送受信を制御する。
【００２３】
電子メールユニット２０９は、ネットワークＩ／Ｆ２０８を介してインターネット上のメールサーバと電子メールの送受信を行う。そして、ファクスユニット２１０はネットワークＩ／Ｆ２０８を介して外部のファクシミリ装置とファクスの送受信を行う。
【００２４】
［転送設定時の動作］
次に、図面を参照しながら実施例１における複写装置１０１の詳細な動作について説明する。まず、図３を用いて所望の受信文書に対して転送処理を設定するための受信条件とその受信文書を転送する転送先のアドレスを指定する情報とを設定する動作について説明する。
【００２５】
図３は、複写装置１０１において受信文書を転送設定する処理を示すフローチャートである。まず、ステップＳ３０１において、ユーザが複写装置１０１の表示ユニット２０３に表示されたダイアログボックスから受信文書を受信時の条件によって転送処理する受信条件の設定を指示すると、ＣＰＵ２０１は図４に示すダイアログボックスを表示ユニット２０３に表示し、受信条件の設定を行う。
【００２６】
図４は、受信文書の転送処理を受信時の条件毎に登録するためのダイアログボックスの一例を示す図である。図４に示す例では、受信手段４０１としてＦＡＸ（ファックス）を指定し、受信毎の条件として相手先（送信元）番号４０２、Ｆコード４０３、パスワード４０４が設定可能である。そして、受信文書が上述の受信条件に全て一致した場合、受信文書を後述する送信宛先４０５で指定された送信先へ送信する。また、受信文書がこれらの条件に全て一致しない場合は、既定の処理として受信文書を印刷ユニット２０６へ送り、印刷を行うものとする。
【００２７】
次に、ステップＳ３０２において、ユーザが上述の受信条件に全て一致した受信文書を転送するための転送先を指定する。図４に示す例では、送信宛先４０５の入力欄に複写装置１０１の外部記憶装置２０５に登録されているアドレス帳がリンクされており、この入力欄をタッチすることにより自動的にアドレス帳を呼び出し、アドレス帳から選択する場合の利便性を向上させている。尚、送信宛先として直接転送先のネットワークアドレスや実際のＦＡＸ番号を入力することも可能である。
【００２８】
ここで、ユーザが送信宛先４０５を選択し、アドレス帳のエントリーから転送先の指定を選択すると、アドレス帳に登録されている送信宛先を表示ユニット２０３に一覧表示し、ユーザはその一覧表示から所望の送信宛先を指定することができる。ここでは、ユーザが送信宛先４０５としてサーバ装置１０２のデータベースを指定したものとする。そして、アドレス帳に登録されているサーバ装置１０２へのインデックス番号を設定する。
【００２９】
次に、ステップＳ３０３において、ステップＳ３０２で指定した送信宛先へ転送される文書の文書名４０６を設定する。尚、ここで設定した文書名がデータベース上での文書名として使用される。また、文書名を設定しなければ、受信時の日付及び時刻から文書名が生成される。次に、ステップＳ３０４において、ユーザが設定４１０を指示することで、上述した転送設定を確定するとステップＳ３０５へ進み、送信宛先４０５として設定したアドレス帳のインデックス番号からユニバーサルユニークＩＤを取得する。
【００３０】
尚、ユニバーサルユニークＩＤは、アドレス帳に登録されている宛先（エントリー）に一対一に対応し、各宛先を識別するための一意な識別番号であり、例えばメーカー、製造番号などの情報を含むものであり、複写装置１０１内だけでなく種々の装置間においても一意なものである。
【００３１】
そして、ステップＳ３０６において、ＣＰＵ２０１はステップＳ３０５で取得したユニバーサルユニークＩＤとユーザが設定した受信条件及び送信宛先とを外部記憶装置２０５の転送条件データベースに登録する。また、キャンセル４１１が指示されると、登録処理を行わずに、この処理を終了する。ここで設定された転送条件は、送信宛先をアドレス帳から選択した場合は送信宛先としてインデックス番号が記憶され、宛先情報を直接入力した場合はこの宛先情報が直接記憶される。
【００３２】
図５は、実施例１における転送条件データベースとアドレス帳の構成を示す図である。図５に示す例では、転送条件データベースに条件ｎとして受信文書を転送させる条件等が登録され、またインデックス番号としてアドレス帳Ａにおける送信宛先（サーバ装置）へのインデックス番号ｍが登録され、更にユニバーサルユニークＩＤ（ＵＵＩＤ）にサーバ装置１０３の識別番号が登録される。
【００３３】
［文書受信時の動作］
次に、複写装置１０１のファックスユニット２１０が相手ファクシミリ装置から文書を受信し、予め設定された受信条件に基づいて文書を印刷、或いは送信宛先（実施例１ではサーバ装置１０２のデータベース）へ転送する処理について説明する。
【００３４】
図６は、複写装置１０１において文書を受信する際の処理を示すフローチャートである。まず、ステップＳ６０１において、複写装置１０１のファックスユニット２１０が公衆回線を介して送信元ファクシミリ装置からの文書を受信する。次に、ステップＳ６０２において、ＣＰＵ２０１は転送条件データベースに登録されている相手先番号４０２と送信元の番号が一致しているか否かを判定する。ここで、相手先番号４０２の条件が一致していればステップＳ６０３へ進み、続けて受信したＦコードが転送条件データベースに登録されているＦコード４０３と一致しているか否かを判定する。ここで、Ｆコード４０３の条件が一致していればステップＳ６０４へ進み、送信元の装置から受信したパスワードが転送条件データベースに登録されているパスワード４０４と一致しているか否かを判定する。ここで、パスワード４０４の条件が一致していればステップＳ６０４へ進み、送信宛先としてインデックス番号が設定されていれば、転送条件データベースに登録されているアドレス帳のインデックス番号から送信宛先のアドレスを検索する。
【００３５】
尚、実施例１では、送信宛先としてサーバ装置１０２のデータベースが指定されているものとする。
【００３６】
次に、ステップＳ６０６において、転送条件データベースに文書名が登録されているか否かを判定する。ここで、文書名が登録されていればステップＳ６０７へ進み、受信文書をユーザが設定した文書名４０６とする。また、文書名が設定されていなければステップＳ６０９へ進み、既定の文書名を生成する。尚、実施例１では、既定の文書名は受信時の日付及び時刻から生成するものとする。そして、ステップＳ６１０において、受信文書の文書名をステップＳ６０９で生成した文書名とする。
【００３７】
次に、ステップＳ６０８において、受信文書をユーザが設定した送信宛先（この例では、サーバ装置１０２のデータベース）へネットワークＩ／Ｆ２０８を介して送信し、上述した受信条件に一致した受信文書の転送処理を終了する。もちろん、送信宛先として宛先情報が直接設定されていればアドレス帳の検索を行わずに設定されている送信宛先へ転送する。
【００３８】
一方、上述のステップＳ６０２で相手先番号４０２の条件が一致しないと判定した場合、ステップＳ６０３でＦコード４０３の条件が一致しないと判定した場合、更にステップＳ６０４でパスワード４０４の条件が一致しないと判定した場合にはそれぞれステップＳ６１１へ進み、既定の処理として受信文書を印刷ユニット２０６へ送り、印刷を行う。
【００３９】
［機器外のアドレス帳を読み込んだ時の動作］
次に、複写装置１０１において、複写装置１０１以外の装置（以下機器外）から機器外のアドレス帳を読み込み、そのアドレス帳に登録されている複数の宛先（エントリー）を複写装置１０１の外部記憶装置２０５に格納されているアドレス帳に書き込み、アドレス帳を更新する動作について説明する。
【００４０】
図７は、複写装置１０１においてアドレス帳を更新する際の処理を示すフローチャートである。まず、ステップＳ７０１において、ＣＰＵ２０１はネットワークＩ／Ｆ２０８を介して機器外のアドレス帳を読み込み、ステップＳ７０２において、機器外のアドレス帳に登録されている宛先（エントリー）にインデックス番号を付加し、更新されたアドレス帳として外部記憶装置２０５に格納する。
【００４１】
次に、ステップＳ７０３において、受信文書の転送先として、転送条件データベースにアドレス帳のインデックス番号が登録されているか否かをチェックし、ステップＳ７０４において、インデックス番号が登録されていなければ、即ち、送信宛先が設定されていなければ、この処理を終了する。
【００４２】
また、ステップＳ７０４でアドレス帳のインデックス番号が登録されており、送信宛先が設定されていればステップＳ７０５へ進み、送信宛先と一緒に登録されたユニバーサルユニークＩＤ（ＵＵＩＤ）に基づき、更新されたアドレス帳に対応するエントリーがあるか否かを判定する。つまり、更新されたアドレス帳の各エントリーに対応するＵＵＩＤと登録されたＵＵＩＤ（登録ＵＵＩＤ）とを比較し、一致するＵＵＩＤがあれば、更新されたアドレス帳に、登録ＵＵＩＤに対応するエントリーがある、即ち、転送先が登録されていると判定する。
【００４３】
尚、機器外から読み込んだアドレス帳にＵＵＩＤが登録されていない場合は、アドレス帳の各エントリーからＵＵＩＤを求め、求めたＵＵＩＤをこの判定処理に使用するものとする。
【００４４】
ステップＳ７０５で、登録ＵＵＩＤに対応するエントリーがあればステップＳ７０６へ進み、そのエントリーのアドレス帳におけるインデックス番号を送信宛先のインデックス番号として登録し直す。また、登録ＵＵＩＤに対応するエントリーがなければステップＳ７０７へ進み、転送条件データベースを無効にする。
【００４５】
図８は、アドレス帳を更新した際の転送条件データベースとアドレス帳を示す図である。図８に示す例は、機器外のアドレス帳Ｂを読み込み、上述の更新処理を実行した結果であり、図５に示した条件ｎのインデックス番号ｍが登録ＵＵＩＤに基づいてアドレス帳Ｂにおける送信宛先（サーバ装置）へのインデックス番号２に更新される。また、条件ａの転送先としての送信宛先がアドレス帳Ｂに登録されていなければ、そのインデックス番号を０とし、転送条件データベースを無効とする。
【００４６】
以上説明したように、実施例によれば、複写装置に他の装置のアドレス帳を読み込ませ、インデックス番号が更新されても、転送条件データベースに登録されている送信宛先が不定となることがなく、誤送信することがなくなる。
【００４７】
また、他の装置のアドレス帳を読み込み、インデックス番号が更新されても、転送条件データベースを無効にする必要がなくなるので、ユーザが再度、転送条件データベースの送信宛先を確認し、転送条件データベースを有効にするという手間が省け、作業の効率を向上させることができる。
【００４８】
更に、送信相手先として、アドレス帳の各エントリーの機器外を含めて一意な識別番号（ＵＵＩＤ）とインデックス番号の両方を登録し、送信相手先の検索時にはインデックス番号を用いるため、時間がかかることもなくなる。
【００４９】
尚、上述した実施例では、ファクシミリ機能を有する複写装置１０１を例に説明したが、アドレス帳に登録されている宛先へ受信した文書を転送する機能を提供する通信機器やパーソナルコンピュータなどにインストールされるアプリケーションに本発明を適用しても良い。
【００５０】
更に、上述した実施例では、１つの受信文書を転送先へ転送させる場合を例に説明したが、複数の受信文書をそれぞれの転送先へ転送させる場合にも、本発明を適用できることは言うまでもない。
【００５１】
また、本発明は、複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００５２】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００５３】
この場合、記録媒体から読出されたプログラムコード自体が前述した実施形態の機能を実現することになり、そのプログラムコードを記憶した記録媒体は本発明を構成することになる。
【００５４】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５５】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００５６】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００５７】
【図１】実施例１におけるクライアント・サーバシステムの構成を示す図である。
【図２】実施例１における複写装置のハードウェア構成を示すブロック図である。
【図３】複写装置１０１において受信文書を転送設定する処理を示すフローチャートである。
【図４】受信文書の転送処理を受信時の条件毎に登録するためのダイアログボックスの一例を示す図である
【図５】実施例１における転送条件データベースとアドレス帳の構成を示す図である。
【図６】複写装置１０１において文書を受信する際の処理を示すフローチャートである。
【図７】複写装置１０１においてアドレス帳を更新する際の処理を示すフローチャートである。
【図８】アドレス帳を更新した際の転送条件データベースとアドレス帳を示す図である。
【符号の説明】
【００５８】
１０１  複写装置
１０２  サーバ装置
１０３  クライアント装置
２０１  中央処理装置（ＣＰＵ）
２０２  主記憶装置（ＲＡＭ）
２０３  表示ユニット
２０４  入力ユニット
２０５  外部記憶装置
２０６  印刷ユニット
２０７  画像読取ユニット
２０８  ネットワークＩ／Ｆ
２０９  電子メールユニット
２１０  ファクスユニット
【図１】
2005159740.tif 000003
【図２】
2005159740.tif 000004
【図３】
2005159740.tif 000005
【図４】
2005159740.tif 000006
【図５】
2005159740.tif 000007
【図６】
2005159740.tif 000008
【図７】
2005159740.tif 000009
【図８】
2005159740.tif 000010